(57)【要約】      （修正有）【課題】結露で湿ったカーテンを、布団乾燥機を用いて簡易に乾かすことができ、且つガラスの結露発生の緩和・予防ができる布団乾燥機アタッチメントを提供する。【解決手段】布団乾燥機アタッチメント１０は、中空の筒状の組み立て式本体２０と中空の円錘筒状の接続カバー３０を有し、組み立て式本体２０が、ガラスとカーテンとの間に配置され、布団乾燥機から排出された温風が、接続カバー３０を介して組み立て式本体２０に供給され、この温風が複数の温風排出孔Ｈから排出され、この排出された温風が、濡れているカーテンを乾燥させ、且つガラスの結露発生の緩和・予防をする。【選択図】図１
0003213856.tif 000002
【実用新案登録請求の範囲】
【請求項１】
内部と外部の温度差によりガラスに発生した結露で湿ったカーテンを、布団乾燥機の温風を用いて乾燥させ、且つ前記ガラスの結露発生の緩和・予防をするように形成されている布団乾燥機アタッチメントであって、
中空の筒状であり、前記中空に供給された前記温風を排出するように前記筒状の側面に設けられた複数の温風排出孔を有する本体部と、
中空の円錘筒状であり、前記布団乾燥機と前記本体部を接続する接続部と、を有し、
前記本体部が、前記ガラスと前記カーテンとの間に配置され、前記布団乾燥機からの前記温風が、前記接続部を介して前記本体部に供給され、前記複数の温風排出孔から排出され、前記排出された前記温風が、前記カーテンを乾燥させ、且つ前記ガラスの結露発生の緩和・予防をするように構成されていることを特徴とする布団乾燥機アタッチメント。
【請求項２】
ホースタイプの前記布団乾燥機及び非ホースタイプの前記布団乾燥機に接続されるように形成されていることを特徴とする請求項１に記載の布団乾燥機アタッチメント。
【請求項３】
前記本体部は、組み立て式本体であり、前記布団乾燥機と前記本体部を接続する前記接続部は、接続カバーであり、
前記組み立て式本体は、着脱自在なように形成されている第１の分割本体と第２の分割本体と第３の分割本体と、を有し、
前記第１の分割本体は前記接続カバーと接続し、前記第２の分割本体は前記第１の分割本体と接続し、前記第３の分割本体は前記第２の分割本体と接続するように形成されていることを特徴とする請求項１または請求項２に記載の布団乾燥機アタッチメント。
【請求項４】
前記第２の分割本体は、複数であることを特徴とする請求項３に記載の布団乾燥機アタッチメント。
【請求項５】
前記本体部と前記接続部は、一体的に形成された一体型布団乾燥機アタッチメントであり、
前記一体型布団乾燥機アタッチメントは、折り畳み自在であることを特徴とする請求項１または請求項２に記載の布団乾燥機アタッチメント。
【考案の詳細な説明】
【技術分野】
【０００１】
本考案は、布団乾燥機アタッチメントに関する。
【背景技術】
【０００２】
室内温度と外部温度との間に温度差が発生した場合に、窓ガラスの内面に結露が発生し、この結露は、時間の経過とともに窓ガラスの内面などを伝わって流れ落ち、カーテンなどが湿ってしまうという問題がある。このような結露により湿ったカーテンを乾かすために、例えば、リボンヒータを用いた結露防止具が開示されている（特許文献参照）。
【先行技術文献】
【特許文献】
【０００３】
【特許文献１】実用新案登録第３０５８６７８号公報
【考案の概要】
【考案が解決しようとする課題】
【０００４】
上記の従来の結露防止具は、窓ガラスやカーテンに取り付けて使用するものであるが、取り付けた状態のままでは窓ガラスやカーテンの開閉操作の邪魔になることより、窓ガラスやカーテンを開閉するたびに結露防止具を取り外す必用があり使い易いものが求められている。
【０００５】
本考案は、こうした点に鑑みてなされたものであり、結露で湿ったカーテンを、布団乾燥機を用いて簡易に乾かすことができ、且つガラスの結露発生の緩和・予防ができる布団乾燥機アタッチメントを提供するものである。
【課題を解決するための手段】
【０００６】
上記課題を解決するために、本考案に係る布団乾燥機アタッチメントは、内部と外部の温度差によりガラスに発生した結露で湿ったカーテンを、布団乾燥機の温風を用いて乾燥させ、且つ前記ガラスの結露発生の緩和・予防をするように形成されている布団乾燥機アタッチメントであって、中空の筒状であり、前記中空に供給された前記温風を排出するように前記筒状の側面に設けられた複数の温風排出孔を有する本体部と、中空の円錘筒状であり、前記布団乾燥機と前記本体部を接続する接続部と、を有し、前記本体部が、前記ガラスと前記カーテンとの間に配置され、前記布団乾燥機からの前記温風が、前記接続部を介して前記本体部に供給され、前記複数の温風排出孔から排出され、前記排出された前記温風が、前記カーテンを乾燥させ、且つ前記ガラスの結露発生の緩和・予防をするように構成されていることを特徴とする。
【０００７】
本考案に係る布団乾燥機アタッチメントの態様について、ホースタイプの前記布団乾燥機及び非ホースタイプの前記布団乾燥機に接続されるように形成されていることが好ましい。
【０００８】
本考案に係る布団乾燥機アタッチメントの態様について、前記本体部は、組み立て式本体であり、前記布団乾燥機と前記本体部を接続する前記接続部は、接続カバーであり、前記組み立て式本体は、着脱自在なように形成されている第１の分割本体と第２の分割本体と第３の分割本体と、を有し、前記第１の分割本体は前記接続カバーと接続し、前記第２の分割本体は前記第１の分割本体と接続し、前記第３の分割本体は前記第２の分割本体と接続するように形成されていることが好ましい。
【０００９】
本考案に係る布団乾燥機アタッチメントの態様について、前記第２の分割本体は、複数であることが好ましい。
【００１０】
本考案に係る布団乾燥機アタッチメントの態様について、前記本体部と前記接続部は、一体的に形成された一体型布団乾燥機アタッチメントであり、前記一体型布団乾燥機アタッチメントは、折り畳み自在であることが好ましい。
【考案の効果】
【００１１】
本考案によれば、結露で湿ったカーテンを、布団乾燥機を用いて簡易に乾かすことができ、且つガラスの結露発生の緩和・予防ができる布団乾燥機アタッチメントを提供することができる。
【図面の簡単な説明】
【００１２】
【図１】実施形態の布団乾燥機アタッチメントの一例を示す模式図である。
【図２】ホース式及び非ホース式の布団乾燥機に布団乾燥機アタッチメントを用いた一例を示す参考図である。
【図３】布団乾燥機アタッチメントの使用の一例を示す参考図である。
【図４】一体型布団乾燥機アタッチメントの一例を示す参考図である。
【考案を実施するための形態】
【００１３】
以下、本考案の布団乾燥機アタッチメント１０の実施形態を、図１から図４を用いて説明する。図１(ａ)は、布団乾燥機アタッチメント１０の一例を示す模式図であり、図１（ｂ）から図１（ｄ）は、組み立て式本体２０を示す模式図であり、図２（ａ）は、ホース式の布団乾燥機４０に布団乾燥機アタッチメント１０を用いた一例を示す参考図であり、図２（ｂ）は、非ホース式の布団乾燥機４０に布団乾燥機アタッチメント１０を用いた一例を示す参考図であり、図３は、布団乾燥機４０に接続された布団乾燥機アタッチメント１０がカーテンＣを乾かし、且つガラスＧの結露発生の緩和・予防をしている一例を示す参考図であり、図４は、布団乾燥機４０からの温風が供給されていない状態の一体型布団乾燥機アタッチメント１０の一例を示す参考図である。
【００１４】
図１から図４に示す布団乾燥機アタッチメント１０は、内部と外部の温度差によりガラスＧに発生した結露で湿ったカーテンＣを、布団乾燥機４０を用いて乾燥させ、且つガラスＧに発生する結露を緩和し予防をするように構成されているものである。以下、布団乾燥機アタッチメント１０の実施形態について説明する。なお、布団乾燥機４０は、ホースタイプ及び非ホースタイプのものが存在するが、布団乾燥機アタッチメント１０は、両方のタイプに対応できるように構成されている。
【００１５】
布団乾燥機アタッチメント１０は、中空の筒状の本体部と中空の円錘筒状の接続部を有している。本体部は、筒状の中空に供給された温風が排出されるように、筒状の側面に複数の温風排出孔Ｈを有している。
【００１６】
本体部は、一例として、硬質の素材、例えば、ポリプロピレンで形成されている組み立て式本体２０である。また、布団乾燥機４０と組み立て式本体２０を接続する接続部は、一例として、柔軟性を有する素材、例えば、ポリエステルで形成されている接続カバー３０である。
【００１７】
上記の布団乾燥機アタッチメント１０は、組み立て式本体２０が、ガラスＧとカーテンＣとの間に配置され、布団乾燥機４０から排出された温風が、接続カバー３０を介して組み立て式本体２０に供給され、この温風は、複数の温風排出孔Ｈから排出され、この排出された温風により、濡れているカーテンＣを乾燥させることができ、且つガラスＧの結露発生の緩和・予防ができるように構成されている。
【００１８】
組み立て式本体２０は、組み立て後の大きさが、一例として幅１５４５ｍｍ、奥行５０ｍｍ及び高さ５０ｍｍであり、ガラスＧとカーテンＣの間に設置されたときに目立たないような構成となっている。しかし、組み立て式本体２０は、この大きさに限定されず適宜最適な大きさにするとよい。また、温風排出孔Ｈの数量及び孔の大きさは、適宜最適な数量及び大きさにするとよい。
【００１９】
接続カバー３０は、組み立て式本体２０と布団乾燥機４０を接続するように形成されている。接続カバー３０は、布団乾燥機４０から排出された温風を、組み立て式本体２０に送り込むための２つの開口を有するものである。
【００２０】
布団乾燥機アタッチメント１０は、接続カバー３０の一方の開口の布団乾燥機接続部分３０ａで布団乾燥機４０の熱風排出部分を覆い密封し、他方の開口の本体接続部分３０ｂで接続カバー接続部分２１ａを覆い密封することで、布団乾燥機４０からの温風が接続カバー３０を介して組み立て式本体２０に供給される。なお、図２に示すとおり接続カバー３０は、ホースタイプの布団乾燥機４０及び非ホースタイプの布団乾燥機４０に接続されるように形成されている。
【００２１】
また、組み立て式本体２０は、着脱自在なように形成されており、第１の分割本体２１、第２の分割本体２２及び第３の分割本体２３を有している。第２の分割本体２２の数量は、複数でもよく、この例において、布団乾燥機アタッチメント１０は、４つの第２の分割本体２２を用いている。なお、第２の分割本体２２の数量はこれに限定されるものではない。
【００２２】
実施形態において、組み立て式本体２０は、第１の分割本体２１、４つの第２の分割本体２２及び第３の分割本体２３が接続されることで使用される。
【００２３】
すなわち、第１の分割本体２１は、接続カバー接続部分２１ａが本体接続部分３０ｂで覆われることで接続カバー３０と接続され、第２の分割本体２２は、嵌め込み部分２１ｂが開口部分２２ａに嵌め込まれることで第１の分割本体２１と接続される。
【００２４】
また、嵌め込み部分２２ｂを開口部分２２ａに嵌め込むことで第２の分割本体２２が連続して接続される。第３の分割本体２３は、嵌め込み部分２２ｂが開口部分２３ａに嵌め込まれることで第２の分割本体と接続される。この第３の分割本体２３は、布団乾燥機４０から供給された温風が、温風排出孔Ｈ以外から排出されないように、蓋部分２３ｂを有する構成となっている。
【００２５】
このように組み立て式本体２０は、着脱自在なように複数に分割されており、オフシーズンなどにおいてコンパクトに収納することが可能な構成となっている。上記の着脱自在とする機能は、素材の弾力を利用したものなど適宜最適な構成にするとよい。
【００２６】
また、布団乾燥機アタッチメントの一例としての一体型布団乾燥機アタッチメント１０Ａは、本体部としての一体型本体部２０Ａと、接続部としての一体型接続部３０Ａを有し、布製品、例えば、ポリエステルを用いて一体的になるように形成されている。一体型布団乾燥機アタッチメント１０Ａは、折り畳み自在な構成となっており、使用しないときなど、邪魔にならないように小さく折り畳み収納することができる。
【００２７】
このような一体型布団乾燥機アタッチメント１０Ａは、布団乾燥機４０から供給された温風により膨らみ、温風排出孔Ｈから排出された温風が、カーテンＣを乾燥させ、且つガラスＧの結露発生を緩和・予防をするように構成されている。
【００２８】
なお、図４に示す一体型布団乾燥機アタッチメント１０Ａは、一体型本体部２０Ａと一体型接続部３０Ａが、一体的になるように縫い付けられている縫製品であるが、これに限定されず、例えば、一体型本体部２０Ａと一体型接続部３０Ａが、同一の素材で一体的に形成されている構成でもよく、また、面ファスナーなどで一体的になるような構成でもよい。
【００２９】
以上、本考案の有する特徴及び優れた点を上記実施形態に記載したが、本考案は、本願の実用新案登録請求の範囲で使用されている言葉を広く一般的な意味に拡張して実施することができる。
【００３０】
また、本考案の布団乾燥機アタッチメントは、大きさや形状、素材の種類、厚さ、重さなどについては多様な実施形態が可能であり、それらについて本実施形態と異なる形態による実施は、本考案の技術的範囲に含まれる。
【符号の説明】
【００３１】
１０    布団乾燥機アタッチメント
２０    組み立て式本体
２１    第１の分割本体
２１ａ  接続カバー接続部分
２１ｂ  嵌め込み部分
２２    第２の分割本体
２２ａ  開口部分
２１ｂ  嵌め込み部分
２３    第３の分割本体
２３ａ  開口部分
２３ｂ  蓋部分
３０    接続カバー
３０ａ  布団乾燥機接続部分
３０ｂ  本体接続部分
１０Ａ  一体型布団乾燥機アタッチメント
２０Ａ  一体型本体部
３０Ａ  一体型接続部
４０    布団乾燥機
Ｈ      温風排出孔
Ｇ      ガラス
Ｃ      カーテン
【図１】
0003213856.tif 000003
【図２】
0003213856.tif 000004
【図３】
0003213856.tif 000005
【図４】
0003213856.tif 000006